【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
粒子を濃縮する方法であって、
（ａ）  粒子を含む液体に、高アスペクト比を有する第1の電極を浸漬することと、ここにおいて、当該第1の電極は、軸短手寸法を有する軸と遠位末端短手寸法を有する遠位末端とを含み、ここにおいて、当該遠位短手寸法は、１ナノメートルから１ミリメートルであり；
（ｂ）  当該第1の電極を使用して電界誘導力を生じることにより、当該粒子を第1の電極に向かって追い込むことと； 
（ｃ）  当該液体から当該第1の電極を取り除くことにより、当該第1の電極と当該液体の間に形成される毛管力により、当該第1の電極の表面に当該粒子を固定化することと、
を含む方法。
【請求項２】
更に、当該第1の電極の表面に固定化された粒子を分析することを含む請求項１の方法。
【請求項３】
当該粒子を分析することが、電気学的、機械学的、光学的、表面イメージング技術およびその組み合わせからなる群より選択される方法を含む請求項２の方法。
【請求項４】
当該光学的分析が、当該粒子に対して発光化合物を結合させて、発光粒子を提供することと、当該発光粒子からの発光を検出することとを含む請求項３の方法。
【請求項５】
電気学的検出が、キャパシタンス、抵抗、コンダクタンス、インピーダンスおよびその組み合わせからなる群より選択される特性を測定するための技術を含む請求項３の方法。
【請求項６】
当該第1の電極が、金属、ドープされた半導体および伝導性ポリマーからなる群より選択される物質を含む請求項１の方法。
【請求項７】
当該第1の電極の短手寸法が、１ミリメートルよりも小さい請求項１の方法。
【請求項８】
当該第1の電極の短手寸法が粒子の長手寸法よりも大きい請求項１の方法。
【請求項９】
当該第1の電極が少なくとも部分的に表面コーティングで被覆されている請求項１の方法。
【請求項１０】
当該表面コーティングが、単分子層またはポリマー層からなる群より選択される請求項９の方法。
【請求項１１】
当該表面コーティングが、当該第1の電極における粒子の固相化を増強する請求項９の方法。
【請求項１２】
当該表面コーティングが、第1の結合対を含み、当該粒子が当該第1の結合対に対して結合することが可能な第2の結合対を含む請求項１１の方法。
【請求項１３】
当該第1の結合対が抗体またはそのフラグメントであり、当該第2の結合対が抗原である請求項１２の方法。
【請求項１４】
前記第1の結合対が抗原であり、当該第2の結合対が抗体またはそのフラグメントである請求項１２の方法。
【請求項１５】
当該第1の結合対が第1の核酸であり、当該第2の結合対が第2の核酸である請求項１２の方法。
【請求項１６】
当該第1の結合対が酵素であり、当該第2の結合対が基質である請求項１２の方法。
【請求項１７】
当該第1の結合対がレセプターであり、当該第2の結合対が当該レセプターのリガンドである請求項１２の方法。
【請求項１８】
当該第1の結合対が核酸であり、当該第2の結合対がタンパク質である請求項１２の方法。
【請求項１９】
当該第1の結合対が細胞、細胞膜またはオルガネラであり、当該第2の結合対が当該細胞、細胞膜またはオルガネラのためのリガンドである請求項１２の方法。
【請求項２０】
当該電界誘導力が、電気泳動、電気浸透、二電子伝達およびその組み合わせからなる群より選択される請求項１の方法。
【請求項２１】
当該電界誘導力が、液体と接触している第1の電極と第2の電極との間で生じる請求項１の方法。
【請求項２２】
当該液体が溶液および懸濁液からなる群より選択される請求項１の方法。
【請求項２３】
当該液体が、血液、痰、粘液および唾液からなる群より選択される生物学的流体である請求項１の方法。
【請求項２４】
当該粒子が、粒子、ウイルス、細菌、核酸、細胞およびタンパク質からなる群より選択される請求項１の方法。
【請求項２５】
当該ウイルスが、コクサッキーウイルス、Ａ型肝炎ウイルス、ポリオウイルス、エプスタイン-バーウイルス、疱疹ウイルス１型、疱疹ウイルス２型、ヒトサイトメガロウイルス、ヒトヘルペスウイルス、８型、水痘帯状疱疹ウイルス、Ｂ型肝炎ウイルス、Ｃ型肝炎ウイルス、黄熱病ウイルス、デング熱ウイルス、フラビウイルス、ヒト免疫不全症ウイルス (HIV)、インフルエンザウイルス、麻疹ウイルス、ムンプスウイルス、パラインフルエンザウイルス、呼吸器系合胞体ウイルス、パピローマウイルス、狂犬病ウイルス、風疹ウイルス、ヒトパピローマウイルス(HPV)、エボラ、マールブルク、ハンタ、レオウイルス、トリインフルエンザウイルスおよび西ナイルウイルスからなる群より選択される請求項２４の方法。
【請求項２６】
当該細菌が、結核菌、Ｅ．ｃｏｌｉ、ブドウ球菌、メチシンリン耐性ブドウ球菌（MRSA）、サルモネラおよび緑膿菌からなる群より選択される請求項２４の方法。
【請求項２７】
当該細胞がショウジョウバエ細胞である請求項２４の方法。
【請求項２８】
更に、当該固定化された粒子を貯蔵することを含む請求項１の方法。
【請求項２９】
貯蔵が、低温凍結を含む請求項２８の方法。
【請求項３０】
当該第1の電極の表面が連続性の外部表面である請求項１の方法。
【請求項３１】
電界誘導力を生じることが、当該表面コーティングを電気的に配向すること含む請求項１の方法。
【請求項３２】
更に、当該固定化された粒子が放出されることを具備する請求項１の方法。
【請求項３３】
当該固相化された粒子が遊離されることが、当該固相化された粒子が、細胞、ウイルスおよび細菌からなる群より選択される生体内に放出されることを含む請求項３２の方法。
【請求項３４】
更に、
（ｄ）  高アスペクト比を有する第3の電極を当該粒子を含む当該液体に浸漬することと、ここにおいて、当該第3の電極が、軸短手寸法を有する軸と、遠位短手寸法を有する遠位末端とを含み、当該遠位短手寸法は、１ナノメートルから１ミリメートルであり；
（ｅ）  当該液体において当該粒子が優先的に当該第3の電極に向かって追い込まれるように、当該第3の電極を使用して電界誘導力を生じることと、
（ｆ）  当該取り除かれている第3の電極と当該液との間に形成される毛管力が、当該第3の電極の表面に当該粒子を固定化するように、当該第3の電極を当該液体から取り除くことと、
を含む請求項１の方法。
【請求項３５】
当該粒子が、第1の粒子と第2の粒子とを含み、当該第1の粒子が優先的に第1の電極の方に追い込まれ、当該第2の粒子が優先的に第3の電極の方に追い込まれる請求項３４の方法。
【請求項３６】
粒子濃縮システムであって、
（ａ）  高アスペクト比を有する第１の電極と、ここにおいて、当該第1の電極は、軸短手寸法を有する軸と遠位短手寸法を有する遠位末端とを含み、ここにおいて、当該遠位短手寸法は、１ナノメートルから１ミリメートルであり；
（ｂ）  第1の粒子を含む第1の液体と；
（ｃ）  取り除かれている当該第1の電極と当該第1の液体との間で形成される毛管力が当該第1の電極の表面に当該第1の粒子を固定化するように、当該第1の液体に当該第1の電極を浸漬し、且つ当該第1の液体から当該第1の電極を取り除くような大きさで、および取り除かれている当該第1の電極と当該第1の液体との間で形成される毛管力が当該第1の電極の表面に当該第1の粒子を固定化するように、当該第1の液体に当該第1の電極を浸漬し、且つ当該第1の液体から当該第1の電極を取り除くように構成されたアクチュエーターと；
（ｄ）  当該第1の液体に当該第1の電極が浸漬されたときに、当該第1の粒子が、当該第1の電極の方へ優先的に追い込まれるように、第1の電極により電気誘導力が生じるような大きさで、且つ当該第1の液体に当該第1の電極が浸漬されたときに、当該第1の粒子が、当該第1の電極に向かって優先的に追い込まれるように、第1の電極により電気誘導力が生じるように構成された電気信号発生器と；
を含む粒子濃縮システム。
【請求項３７】
粒子を濃縮する方法であって、
（ａ）  粒子を含む液体に、高アスペクト比を有する第1の電極を浸漬することと、ここにおいて、当該第1の電極は、軸短手寸法を有する軸と、遠位短手寸法を有する遠位末端とを含み、当該遠位短手寸法は、１ナノメートルから１ミリメートルであり；
（ｂ）  当該第1の電極を使用して電界誘導力を生じることにより、当該粒子を第1の電極に向かって追い込むことと；
を含む粒子を濃縮する方法。
【手続補正２】
【補正対象書類名】明細書
【補正対象項目名】００５１
【補正方法】変更
【補正の内容】
【００５１】
分析物粒子を電気的に検出するための代表的な技術は、キャパシタンス、抵抗、コンダクタンス、インピーダンスおよびその組み合わせを測定するための技術を含む。
【手続補正３】
【補正対象書類名】明細書
【補正対象項目名】００９２
【補正方法】変更
【補正の内容】
【００９２】
ハイブリダイゼーション実験のために、抵抗の変化（Ｒｆ）およびキャパシタンス(Ｃａ１)を電極に粒子を固定化した後に測定する。Ｃａ１の変動は、電極における電気的な二重層効果に帰するものであり、一方で、Ｒｆの変化はＤＮＡハイブリダイゼーションのためである。値の変化は、ナノチップ電極のハイブリダイゼーションイベントに対する感度が測定できるようにモニターされる。一旦分析がスクエアシグナル（ssquare signal）で終了すると、Ｉ−Ｖ（図１０に示す）または持続的なＤＣ分析が当該イベントを検出するために行われ、次に確認のための蛍光測定と比較される。